(57)【要約】【課題】  ストロボ光の色温度が設定可能なストロボ装置では色温度により到達距離が変化し、到達距離範囲外での光量不足などによる失敗撮影が発生する。【解決手段】  画像を撮影する撮像手段と色温度が可変なストロボ光を発光する発光手段を含むカメラシステムであって、前記発光手段の発する光の色温度を設定する色温度設定手段と、前記撮像手段の撮影条件を設定する撮影条件設定手段と、前記設定した撮影条件と前記設定した色温度に基づいて、前記発光手段からのストロボ光の到達距離を導出する導出手段と、前記導出手段により導出された前記到達距離の結果を表示する表示手段とを有する。【選択図】  図１
2011232461.tif 000002
【特許請求の範囲】
【請求項１】
画像を撮影する撮像装置に接続可能なストロボ光を発するストロボ装置であって、
発する光の色温度が設定可能な発光手段と、
前記発光手段の色温度を設定する設定手段と、
前記撮像装置から撮影条件に関する撮影情報を受信する受信手段と、
前記受信した撮影情報と前記設定した色温度に基づいて、前記発光手段からのストロボ光の到達距離を導出する導出手段と、
前記導出手段により導出された前記到達距離の結果を出力する出力手段とを有することを特徴とするストロボ装置。
【請求項２】
表示手段を更に有し、
前記出力手段により出力された到達距離の結果に基づき、前記表示手段に前記到達距離を識別可能に表示することを特徴とする請求項１記載のストロボ装置。
【請求項３】
前記撮影情報には、前記発光手段の発する光の色温度に関する情報が含まれ、前記設定手段は前記色温度に関する情報に基づき、色温度を設定することを特徴とする請求項１または２記載のストロボ装置。
【請求項４】
前記発光手段は、３原色それぞれの光を発する光源を有することを特徴とする請求項１乃至３いずれか１項記載のストロボ装置。
【請求項５】
前記設定手段は前記発光手段の３原色それぞれの光量比率を制御することで前記発光手段の色温度を設定することを特徴とする請求項４記載のストロボ装置。
【請求項６】
前記撮影情報には、前記撮像装置のホワイトバランス設定に関する情報が含まれ、前記表示手段はホワイトバランスに関する情報に基づき、前記ホワイトバランス設定を識別可能に表示することを特徴とする請求項２記載のストロボ装置。
【請求項７】
周辺光を測光し、周辺光の色温度を測定する測光手段を更に有し、
前記設定手段は、前記測光手段により得た周辺光の色温度と略同一の色温度を設定することを特徴とする請求項１または２記載のストロボ装置。
【請求項８】
発する光の色温度が可変なストロボ装置の色温度に関する情報を取得可能な撮像装置であって、
前記色温度に関する情報を取得する取得手段と
撮影条件を設定する撮影条件設定手段と、
前記設定した撮影条件と前記色温度に関する情報に基づいて、前記ストロボ装置のストロボ光の到達距離を導出する導出手段と、
前記導出手段により導出された前記到達距離の結果を出力する出力手段とを有することを特徴とする撮像装置。
【請求項９】
画像を撮影する撮像手段と色温度が可変なストロボ光を発光する発光手段を含むカメラシステムであって、
前記発光手段の発する光の色温度を設定する色温度設定手段と、
前記撮像手段の撮影条件を設定する撮影条件設定手段と、
前記設定した撮影条件と前記設定した色温度に基づいて、前記発光手段からのストロボ光の到達距離を導出する導出手段と、
前記導出手段により導出された前記到達距離の結果を表示する表示手段とを有することを特徴とするカメラシステム。
【請求項１０】
ストロボと撮像装置を用いる撮影における色温度が可変なストロボ光の到達距離を求める到達距離導出方法であって、
撮影を行う際の撮影条件に関する撮影情報を取得する撮影情報取得ステップと、
ストロボ光の色温度に関する情報を取得する色温度取得ステップと、
前記取得した撮影情報と色温度に基づいて、前記ストロボ光の到達距離を導出する導出ステップと、
前記導出ステップにより導出された前記到達距離の結果を出力する出力ステップとを有することを特徴とする到達距離導出方法。
【請求項１１】
処理装置に、ストロボ撮影における色温度が可変なストロボ光の到達距離を導出させるための到達距離導出プログラムであって、
撮影を行う際の撮影条件に関する撮影情報を取得する撮影情報取得ステップと、
ストロボ光の色温度に関する情報を取得する色温度取得ステップと、
前記取得した撮影情報と色温度に基づいて、前記ストロボ光の到達距離を導出する導出ステップと、
前記導出ステップにより導出された前記到達距離の結果を出力する出力ステップとを有することを特徴とする処理装置にストロボ光の到達距離を導出させるための到達距離導出プログラム。
【発明の詳細な説明】
【技術分野】
【０００１】
本発明は色温度が可変な光源を有するストロボ装置のストロボ光の到達距離の導出に関する。
【背景技術】
【０００２】
閃光管を光源とするストロボ装置ではガイドナンバーがメインコンデンサーエネルギーにより決定していた。そのため、カメラの撮影情報である感度（ゲイン）、レンズの絞りによって適正露出になるストロボ光の到達距離が容易に演算及び表示が出来た。従って、ストロボ撮影前に到達距離をユーザに知らしめることができるため、撮影画像に露出不足が発生することを低減することが出来た。
【０００３】
特許文献１では、スピードライト撮影可能なカメラにおいて、被写体距離、フィルム感度、絞りの状況に応じてスピードライトに必要なガイドナンバーや被写体距離を表示する技術が開示されている。
【先行技術文献】
【特許文献】
【０００４】
【特許文献１】実開平０６−０２１０３０号公報
【発明の概要】
【発明が解決しようとする課題】
【０００５】
近年、閃光管以外の例えば３原色ＬＥＤ（以下Ｒ、Ｇ、Ｂ  ＬＥＤと呼ぶ）などを光源とするストロボ装置が知られている。この種のストロボ装置では、赤（Ｒ）、緑（Ｇ）、青（Ｂ）それぞれのＬＥＤの発光量を変化させることで発光の色温度を変えることが可能となる。
【０００６】
しかしながら、Ｒ、Ｇ、Ｂ  ＬＥＤのような色温度が可変な光源を有するストロボ装置では、投光する色温度によってもガイドナンバーが変化し、到達距離が変化する。つまり、従来の閃光管のように色温度を考慮しない到達距離の演算では、正確な到達距離が演算出来ない。したがって、撮影画像に露出不足が生じる恐れがある。
【課題を解決するための手段】
【０００７】
上記課題を解決するために本発明に係るストロボ装置は、発する光の色温度が設定可能な発光手段と、前記発光手段の色温度を設定する設定手段と、前記撮像装置から撮影条件に関する撮影情報を受信する受信手段と、前記受信した撮得情報と前記設定した色温度に基づいて、前記発光手段からのストロボ光の到達距離を導出する導出手段と、前記導出手段により導出された前記到達距離の結果を出力する出力手段とを有することを特徴とする。
【発明の効果】
【０００８】
色温度の設定により変化する到達距離を撮影前にユーザに知らせることで撮影画像に露出不足が発生することを低減出来る。
【図面の簡単な説明】
【０００９】
【図１】本発明の各実施の形態に係るカメラシステムを示す構成図である。
【図２】本発明の各実施の形態に係るＲ、Ｇ、Ｂ  ＬＥＤよりなる光源及び反射傘の一例を示す図である。
【図３】本発明の各実施の形態に係るＲ、Ｇ、Ｂ  ＬＥＤの回路ブロック図である。
【図４】本発明の第１の実施の形態に係るホワイトバランス設定を説明するフローチャートである。
【図５】本発明の各実施の形態に係るホワイトバランス表示を示す図である。
【図６】本発明の各実施の形態に係るストロボ装置の到達距離演算を行うフローチャートである。
【図７】本発明の各実施の形態に係る色温度とＲ、Ｇ、Ｂ  ＬＥＤの各々の定電流の相対強度をグラフで示す図である。
【図８】本発明の各実施の形態に係る色温度とＲ、Ｇ、Ｂ  ＬＥＤの各々の定電流の相対強度を数値で示す図である。
【図９】本発明の各実施の形態に係る色温度とＲ、Ｇ、Ｂ  ＬＥＤの各々の定電流の相対強度、輝度比および距離の補正値との関係を示す図である。
【図１０】本発明の各実施の形態に係るストロボ装置におけるのホワイトバランス表示を示す図である。
【図１１】本発明の各実施の形態に係るカメラシステムの一連の撮影動作のフローチャートである。
【図１２】本発明の各実施の形態に係るストロボ光の到達距離の変動ファクターを示す図である。
【図１３】本発明の各実施の形態に係るストロボ装置の動作を示すフローチャートである。
【図１４】本発明の各実施の形態に係るストロボ光の到達距離の導出を示すフローチャートである。
【図１５】キセノン管およびＲ、Ｇ、Ｂ  ＬＥＤなどの光源の発光タイミングの一例を示す図である。
【図１６】本発明の各実施例に係る到達距離とＧＮｏ．補正量の関係を示す図である。
【図１７】本発明の各実施例に係るストロボ装置における到達距離表示の一例を示す図である。
【図１８】本発明の第２の実施の形態に係るストロボ装置の色温度の設定および距離の補正値の演算を示すフローチャートである。
【図１９】本発明の第２の実施の形態に係る表示の一例を示す図である。
【発明を実施するための形態】
【００１０】
＜第１の実施の形態＞
第１の実施の形態では、本発明の一実施例としてデジタルカメラ、レンズユニット、デジタルカメラに接続可能なストロボ装置から成るカメラシステムを図面を参照して説明する。本実施の形態では、ストロボ装置の投光する色温度をカメラ側で設定し、シャッターボタンの半押し状態すなわち撮影準備動作中にて投光する色温度を加味した適正露出となる到達距離導出を逐次行う。また、到達距離導出結果をストロボ装置の表示部に表示する。
【００１１】
図１は本発明の第１の実施の形態に係わるカメラシステム（デジタルカメラ、レンズユニット、ストロボ装置から成る）の構成を示す図である。１００はカメラ本体を、２００はレンズユニットを、３００はＲ、Ｇ、Ｂ  ＬＥＤ等の発する光の色温度が可変で設定可能な光源を有し、カメラ１００と接続可能なストロボ装置をそれぞれ示している。図１に示すカメラシステムを用いてストロボ撮影が可能となる。
【００１２】
まず、画像を撮影する撮像装置であるカメラ本体１００内の構成について説明する。１０１はカメラ１００の各部を制御するマイクロコンピュータＣＣＰＵ（以下、カメラマイコン）である。後述するレンズマイコン２０１やストロボマイコン３１０等各部と情報の通信が可能である。また、カメラマイコン１０１は、各種情報の処理や演算、各部への動作命令等を行いカメラシステム全体の制御を行っている。例えば、図示していないＲＯＭ等の記憶装置に格納され、後述する図１１に示すフローを実現させる制御プログラム等に基づいて撮像動作などカメラシステム全体の制御を実行する。
【００１３】
１０２は赤外カットフィルタやローパスフィルタ等を含むＣＣＤ，ＣＭＯＳ等の撮像素子であり、後述のレンズ群２０２によって撮影時に被写体の像が結像される。１０３はシャッターで非撮影時には撮像素子１０２を遮光し、撮影時には開いて撮像素子１０２へ光線を導く。１０４はハーフミラーであり、非撮影時にレンズ群２０２より入射する光の一部を反射し１０５のピント板に結像させる。
【００１４】
１０６は測光回路でこの回路内の測光センサーは被写体の撮影範囲を複数の領域に分割しそれぞれの領域で測光を行う。また、測光回路１０６は分割したそれぞれの領域において、輝度や色成分の測定を行い、結果を出力する。後述するＡＷＢの設定や撮影条件設定等に用いる。１０７は焦点検出回路で回路内の測距センサーは複数点を測距ポイントとして持ち、測光センサーの分割された部分に対応した位置に測距ポイントが含まれているよう構成されている。測光回路１０６内の測光センサーは後述する１１４のペンタプリズムを介してピント板１０５に結像された被写体像を見込んでいる。
【００１５】
１０８は撮像素子１０２からのアナログ信号をデジタル信号に変換するＡ／Ｄ変換器で、１０９は撮像素子１０２からの出力信号とＡ／Ｄ変換器１０８の変換タイミングを同期させるためのタイミングジェネレータ（ＴＧ）である。１１０はＡ／Ｄ変換器１０８でディジタル信号に変換された画像データをパラメータにしたがって画像処理を行うディジタル信号処理回路である。なお、処理画像の記憶のためのメモリ等の記憶部は省略する。
【００１６】
ＳＣはカメラ１００とレンズユニット２００及びストロボ装置３００とのインタフェースの信号ラインである。この信号ラインにより、カメラマイコン１０１より通信クロックを発生させ後述するストロボマイコン３１０間で通信を可能にし、ストロボマイコン３１０はカメラマイコン１０１より撮影情報等の情報を取得可能となる。更にカメラマイコン１０１はＳＣを介してストロボ装置３００への発光開始信号を与えている。また同様にＳＣは後述するレンズマイコン２０１とのインタフェースの信号ラインであり、レンズマイコン２０１からカメラマイコン１０１にデータを送信する端子を有し、カメラマイコン１０１とレンズマイコン２０１間で通信を可能にしている。
【００１７】
１１２は入力部でスイッチやボタンなどでカメラの撮影条件設定などを外部から各種入力する事が可能である。また、入力部１１２は撮像操作の開始信号を発するシャッターボタンも有している。シャッターボタンは撮像操作の準備信号を発する半押しの状態を検知するＳＷ１と撮像動作の開始信号を発する全押しの状態を検知するＳＷ２を更に有している。１１３は各種設定されたモードやその他の撮影情報などをファインダーおよび背面の液晶装置や発光素子などに表示を行う表示部である。
【００１８】
１１４は前述したペンタプリズムで、ピント板１０５の被写体像を測光回路１０６内の測光センサー及び不図示の光学ファインダーに導く。１１５はＡＦミラーで、レンズ群２０２より入射しハーフミラー１０４を透過した光線の一部を焦点検出回路１０７の測距センサーへ導いている。なお、ここでは簡単のためカメラ１００の電源電池等は説明から省略している。
【００１９】
次に、カメラ本体１００に接続可能なレンズユニット２００内の構成と動作について説明する。２０１はレンズ各部の動作を制御するマイクロコンピュータＬＰＵ（以下、レンズマイコンと呼ぶ）であり、カメラマイコン１０１とＳＣを介して情報の通信が可能である。また、図示していないＲＯＭ等の記憶装置に記憶されている制御プログラム等に基づいて、後述するレンズ群の駆動や絞りの制御等を実行する。２０２は複数枚で構成されたレンズ群である。２０３はレンズ群２０２のズームや焦点位置合わせ用の光学系を移動させるレンズ駆動回路であり、レンズ群２０２の駆動量は、カメラ１００内にある焦点検出回路１０７の出力に基づいてカメラマイコン１０１内にて算出される。２０４はレンズ群２０２の駆動時に移動量を検出するエンコーダである。カメラマイコン１０１にて算出されたレンズ群２０２の駆動量はカメラマイコン１０１からＳＣを介してレンズマイコン２０１に通信される。そして、レンズマイコン２０１は駆動量を算出し、レンズ駆動回路２０３を動作させ、エンコーダ２０４により位置制御されレンズ群２０２は合焦位置へ移動される。
【００２０】
２０５は絞りで、２０６は絞り制御回路であり、絞り２０５は絞り制御回路２０６を介してレンズマイコン２０１により制御される。なお、交換可能なレンズユニット２００の焦点距離は単焦点のものであっても、ズームレンズのように焦点距離は可変であっても構わない。２０７は防振制御装置で不図示のジャイロなどでブレを検出しレンズマイコン２０１でレンズ群を制御することで手ブレを防止するためのものである。
【００２１】
次に、カメラ本体１００に接続可能であり、ストロボ光を発光可能なストロボ装置３００の構成について説明する。３１０はストロボ装置３００の各部の動作を制御するマイクロコンピュータＦＰＵ（以下、ストロボマイコンと呼ぶ）である。ストロボマイコン３１０は、カメラマイコン１０１とＳＣを介して情報の通信が可能である。また、不図示のＲＯＭ等の記憶装置に記憶された後述する図１３、図１４、図１８に示すフローを実現させる到達距離導出プログラムや制御プログラム等に基づいて、ストロボ光の色温度の設定、ストロボ光の到達距離導出および到達距離の表示のための出力を行う。つまり、ストロボマイコン３１０は、到達距離導出プログラムに基づき、カメラマイコン１０１から取得可能な撮影情報を取得し、設定した色温度を加味した演算を行うことによって、ストロボ光の到達距離導出を実行する処理装置として動作可能である。
【００２２】
３０１はストロボの電源（ＶＢＡＴ）としての電池である。３０２は電源電池３０１を昇圧し後述するＲ、Ｇ、Ｂ  ＬＥＤを点灯させるための昇圧回路である。３０７は色温度が可変な光源であり、本実施例ではＲ、Ｇ、Ｂ  ＬＥＤである。赤、緑、青の３原色をそれぞれの光を発する光源である。３１５はＲ、Ｇ、Ｂ  ＬＥＤのからの発光を集光し被写体に照射するための反射傘である。図１に示した光源の一例であるＲ、Ｇ、Ｂ  ＬＥＤ３０７および反射傘３１５の一例を図２（ａ）〜（ｃ）に示す。
【００２３】
Ｒ、Ｇ、Ｂ  ＬＥＤ３０７は、図２（ａ）で示すように直列に接続され、線状に発光するように構成されている。２２はセラミックなどの熱伝導の良い基板であり１〜１５のＲ、Ｇ、Ｂ  ＬＥＤ３０７が赤、緑、青、赤、緑、青の順序で線状に線状配列されている。この配列はＲ、Ｇ、Ｂ  ＬＥＤ３０７の赤（Ｒ）ＬＥＤが１，４，７．１０，１３と直列接続され、緑（Ｇ）ＬＥＤが２，５，８．１１，１４と直列接続され、青（Ｂ）ＬＥＤが３，６，９．１２，１５と直列接続されている。
【００２４】
１６、１９は電極パターンで直列接続された赤（Ｒ）ＬＥＤのアノード及びカソードに、１７、２０も電極パターンで直列接続された緑（Ｇ）ＬＥＤのアノード及びカソードにそれぞれ接続されている。同様に１８、２１も電極パターンであり直列接続された青（Ｇ）ＬＥＤのアノード及びカソードにそれぞれ接続されている。
【００２５】
１６と１９の電極パターン間に発光電流を供給することで赤（Ｒ）ＬＥＤを発光出来る様接続されている。同様に１７と２０の電極パターン間に発光電流を供給することで緑（Ｇ）ＬＥＤを、１８と２１の電極パターン間に発光電流を供給することで青（Ｂ）ＬＥＤを個別の電流にて発光出来る様接続されている。図２（ｂ）はＲ、Ｇ、Ｂ  ＬＥＤ３０７を側面からみた図である。
【００２６】
図２（ｃ）において、３１５は反射傘であり、１〜１５から成るＲ、Ｇ、Ｂ  ＬＥＤ３０７からの発光光束を集光し、被写体に照射している。
【００２７】
本実施例におけるＲ、Ｇ、Ｂ  ＬＥＤ３０７の回路ブロックを示す図３を用いて、Ｒ、Ｇ、Ｂ  ＬＥＤ３０７の駆動を説明する。３０８はそれぞれ電流検出抵抗、トランジスタ、差動増幅器で赤（Ｒ）ＬＥＤに定電流を供給する回路で，後述するバイアス電圧と電流検出抵抗２４，２７，３０によりＲ、Ｇ、Ｂ  ＬＥＤ３０７の定電流が供給される。  Ｒ、Ｇ、Ｂ  ＬＥＤそれぞれの定電流は３３のバイアス回路によりバイアス電圧Ｖ（Ｒ）、Ｖ（Ｇ）、Ｖ（Ｂ）が差動増幅器２６，２９，３２の非反転入力に与えられる事で決定する。Ｒ、Ｇ、Ｂ  ＬＥＤの各々の定電流Ｉ（Ｒ）、Ｉ（Ｇ）、Ｉ（Ｂ）は
Ｉ（Ｒ）＝Ｖ（Ｒ）／Ｒ２４        Ｒ２４；電流検出抵抗２４の抵抗値
Ｉ（Ｇ）＝Ｖ（Ｇ）／Ｒ２７        Ｒ２７；電流検出抵抗２７の抵抗値
Ｉ（Ｂ）＝Ｖ（Ｂ）／Ｒ３０        Ｒ３０；電流検出抵抗３０の抵抗値
としてＲ、Ｇ、Ｂ  ＬＥＤに与えられる。
【００２８】
Ｒ２４、Ｒ２７、Ｒ３０が同じ抵抗値とすればＶ（Ｒ）、Ｖ（Ｇ）、Ｖ（Ｂ）の比率で定電流がＲ、Ｇ、Ｂ  ＬＥＤ３０７にそれぞれ供給される。２４〜３３で構成された定電流回路は、図１に示された電流制御回路３０８と同等のものである。図３で２３はコンデンサである。３０２は昇圧回路で電源電池３０１を昇圧しコンデンサ２３に昇圧された電荷が蓄積される。このコンデンサ２３によりＲ、Ｇ、Ｂ  ＬＥＤ３０７の駆動がおこなわれる。３０２は図１の昇圧回路と同等のものである。
【００２９】
バイアス回路３３はストロボマイコン３１０の演算結果によりｂｉａｓ端子を介してバイアスレベルが決定されＶ（Ｒ）、Ｖ（Ｇ）、Ｖ（Ｂ）の出力が設定される。つまり、バイアス回路３３の出力により、Ｒ、Ｇ、Ｂ  ＬＥＤ３０７のそれぞれに流れる電流が決定され、Ｒ、Ｇ、Ｂ  ＬＥＤ３０７の３原色それぞれの発する光量を設定することで色温度が設定可能となる。点灯及び消灯は後述するが、Ｆｌａｓｈ端子を介して制御される。
【００３０】
図１に戻り、３２３はＲ、Ｇ、Ｂ  ＬＥＤ３０７の発光量を受光するセンサーとしてのフォトダイオードであり、直接またはグラスファイバーなどを介してＲ、Ｇ、Ｂ  ＬＥＤ３０７の光を受光する。
【００３１】
３０９はフォトダイオード３２３の受光電流を積分する積分回路であり、その出力は３１２のコンパレータの反転入力端子とストロボマイコン３１０の図示しないＡ／Ｄコンバータ端子に入力される。コンパレータ３１２の非反転入力はストロボマイコン３１０内の図示しないＤ／Ａコンバータ出力端子に接続され、コンパレータ３１２の出力は３１１のＡＮＤゲートの入力端子に接続される。ＡＮＤゲート３１１のもう一方の入力はストロボマイコン３１０の図示しない発光制御端子と接続され、ＡＮＤゲート３１１の出力は電流制御回路３０８に入力されＲ、Ｇ、Ｂ  ＬＥＤ３０７の通電を行っている。
【００３２】
３１６はフレネルレンズなどのパネル等から成りストロボ装置３００の照射角を変更するズーム光学系である。ここで、反射傘３１５に対してズーム光学系３１６の距離を所定の位置に変更することにより、被写体への照射ガイドナンバー及び配光を変化させることが可能となる。
【００３３】
３１３はモーター等から成るズーム光学系３１６を移動させるズーム駆動部であり、ズーム光学系３１６の駆動量はストロボマイコン３１０のズーム制御端子より信号を受け駆動される。このズーム駆動量はレンズマイコン２０１からカメラマイコン１０１へ焦点距離情報が通信により与えられカメラマイコン１０１を介してストロボマイコン３１０に通信され、その焦点距離情報に応じてストロボマイコン３１０でズームの駆動量が演算される。
【００３４】
３１４はズーム光学系３１６のズーム位置を検出するエンコーダ等の位置検出部である。位置検出部３１４は、ストロボマイコン３１０の不図示の位置信号端子に移動情報を与え、必要な移動量だけズーム駆動部３１３内のモータを動作させ所定位置に移動する。
【００３５】
３２０は入力手段（入力インタフェース）であり、例えばストロボ装置３００の側面などにスイッチが設置されており、手動によりズーム情報を入力することも可能である。３２１はストロボ装置３００の各状態を表示する表示部である。３２２はスイッチなどで構成されるストロボのバウンス状態を検知するバウンス検出手段でありバウンス時にはストロボマイコン３１０にバウンス状態であることを出力している。
【００３６】
３２４は撮影の周辺光を測光する撮影周辺光測光回路でＲ、Ｇ、Ｂ  ＬＥＤ３０７からの発光とほぼ同等の波長を測光するための赤（Ｒ）、緑（Ｇ）、青（Ｂ）のフィルターにより各々の光量を個別センサーにて測光している。つまり、周辺光の色温度を測定することができる。また、Ｒ、Ｇ、Ｂ  ＬＥＤ３０７からの発光そのものを測光し、設定した色温度通りの光が発光されているかを確認することも可能である。ストロボマイコン３１０は撮影周辺光測光回路３２４の測定結果に基づき、より正確な色温度の設定のため、出力を補正することも可能である。
【００３７】
続いて、前述した図２および図３に示したＲ、Ｇ、Ｂ  ＬＥＤ３０７が発する光の色温度の設定に関して図７、図８および図９を用いて説明する。図７および図８はＲ、Ｇ、Ｂ  ＬＥＤ３０７の発光比率と色温度との関係を示す図である。ここで、本実施例ではＲ、Ｇ、Ｂ  ＬＥＤ３０７のＲ、Ｇ、ＢそれぞれのＬＥＤに簡単のため所定の同一電流を流した場合６０００Ｋの色温度であるとして説明を行う。
【００３８】
Ｒ、Ｇ、Ｂ  ＬＥＤ３０７の相対強度が緑の強度Ｉ（ＧＲＮ）を１として、３０００Ｋ〜１００００Ｋに対してそれぞれ赤の相対強度Ｉ（ＲＥＤ）、青の相対強度Ｉ（ＢＬＵ）の出力比率をグラフとして示したものが図７である。図８は図７と同様のもので、図７のグラフを表として示したものである。
【００３９】
また、発光ダイオードの特性として印加電流に対して出力は比例して増加するが大電流では出力が飽和して電流を多く流しても出力が出ない電流領域となる。ここで本実施例おいては電流と出力が比例して増加する電流領域で使用しているとする。つまり、発光強度比率は電流比率を変更することで良い事とする。
【００４０】
したがって、図３の電流制御回路３０８の最大電流をＲ、Ｇ、Ｂ  ＬＥＤ３０７の出力の飽和電流以下として制限を設ける場合、最大強度すなわち最大電流値を１として図７及び図８の比率で変更する方が望ましい。そこで、図９は図８の比率の最大値を１として赤の相対強度Ｉ（ＲＥＤ）、緑の相対強度Ｉ（ＧＲＮ）、青の相対強度Ｉ（ＢＬＵ）を同一比率で表に変換したものである。図９によれば例えば２８００ＫではＩ（ＲＥＤ）が定電流回路の最大電流で１となりＩ（ＧＲＮ）は０．３２、Ｉ（ＢＬＵ）は０．１９の比率で電流を制御すれば良いことになる。ここでコンデンサ２３の電荷はＲ、Ｇ、Ｂ  ＬＥＤ３０７の各々の最大電流値が設定された場合でも点灯に必要な時間に充分な電荷量を昇圧回路３０２を介して充電されていることは言うまでもない。
【００４１】
図３において、ストロボマイコン３１０は信号ラインｂｉａｓを介して電流制御回路３０８内のＲ、Ｇ、Ｂ  ＬＥＤ３０７の電流のバイアス回路３３の設定を行う。つまり、所望の発光すべき色温度に基づきＲ、Ｇ、Ｂ  ＬＥＤ３０７の赤ＬＥＤのバイアス電圧Ｖ（Ｒ），緑ＬＥＤのバイアス電圧Ｖ（Ｇ）青ＬＥＤのバイアス電圧Ｖ（Ｂ）の出力に相対強度に応じたバイアス電圧を設定する。
【００４２】
Ｒ、Ｇ、Ｂ  ＬＥＤ３０７内の各々の定電流Ｉ（Ｒ）、Ｉ（Ｇ）、Ｉ（Ｂ）は前述のように
Ｉ（Ｒ）＝Ｖ（Ｒ）／Ｒ２４        Ｒ２４；電流検出抵抗２４の抵抗値
Ｉ（Ｇ）＝Ｖ（Ｇ）／Ｒ２７        Ｒ２７；電流検出抵抗２７の抵抗値
Ｉ（Ｂ）＝Ｖ（Ｂ）／Ｒ３０        Ｒ３０；電流検出抵抗３０の抵抗値
となる。
【００４３】
また、Ｒ、Ｇ、Ｂ  ＬＥＤ３０７の発光比率は、本実施例ではＲ２４，Ｒ２７，Ｒ３０が簡単のため同一抵抗値としているためバイアス電圧と同等比率でよい。
【００４４】
このようにＲ、Ｇ、Ｂ  ＬＥＤ３０７のそれぞれの光量比率を図７、図８、又は図９に従って変更を行うことで設定された色温度での発光が可能となる。
【００４５】
なお、本実施例では図３でストロボマイコン３１０は信号ラインＦｌａｓｈを介して発光信号を与えＲ、Ｇ、Ｂ  ＬＥＤ３０７の各々のＬＥＤを同時に発光し同時に消灯する様制御している。したがって、Ｒ、Ｇ、Ｂそれぞれの点灯時間比を考慮せず、電流比だけを用いて色温度を設定可能である。
【００４６】
以上のように、ストロボ装置３００は、光源であるＲ、Ｇ、Ｂ  ＬＥＤ３０７の３原色それぞれの光量比率を制御することによって色温度を設定可能となる。一方、色温度の設定によりガイドナンバーが変わるため色温度を考慮した到達距離の演算が必要になる。
【００４７】
さらに、Ｒ、Ｇ、Ｂ  ＬＥＤ３０７を光源とする場合、キセノン管と比べて点灯時間を長くすることができるため、色温度だけでなくシャッタースピードの長短等によってもガイドナンバーが変化する要因となる。
【００４８】
ここで、シャッタースピードの長短によるＬＥＤを光源に用いたストロボのガイドナンバーの変化について図１５を用いて説明する。図１５はカメラ１００のフォーカルプレーンシャッターのシャッター開口とストロボ装置３００のキセノン管及びＲ、Ｇ、Ｂ  ＬＥＤ使用したストロボ装置の発光のタイミングを示した図である。
【００４９】
従来のキセノン管を使用したストロボ装置では図１５−（ａ）に示すようにｔ０で先幕が走行しシャッターが全開時点でストロボの発光がｔ＿ｓｙｎｃ．で行われ閃光終了後に後幕が走行するようになっている。ここでストロボ同調秒時（ｔｘ）は従来は１／６０秒程度として比較的閃光時間の長いスタジオ用のストロボ装置でもほぼ時間内に閃光波形が入るようにしていた。最近ではシャッターの走行速度の増加やカメラに装着するような比較的閃光時間の短いストロボ装置に合わせて１／２００秒から１／２５０秒とするストロボ同調秒時のものも増えてきた。
【００５０】
図１５（ａ）に示すように、キセノン管を使用したストロボ装置では同調秒時（ｔｘ）よりシャッター秒時（ＴＶ）を遅くしてもメインコンデンサーエネルギーを放電して発光は終了しているためにガイドナンバーは上がらない。従って、ストロボ同調秒時（ｔｘ）以上の秒時では到達距離はストロボ装置のガイドナンバー（ＧＮｏ．）と撮影時の絞り値（ＦＮｏ．）で決定する。
【００５１】
これに対してＲ、Ｇ、Ｂ  ＬＥＤ３０７などの光源では図１で示す電源電池３０１の電力を昇圧回路３０２で昇圧し電流制御回路３０８で定電流化させ点灯しているために比較的長い時間点灯させることが可能である。図１５−（ｂ）はＲ、Ｇ、Ｂ  ＬＥＤなどを光源とするストロボ装置３００でフォーカルプレーンシャッターのシャッター開口とストロボ発光のタイミング図を示している。ここでは基準となるストロボ光下約６０００Ｋの場合を示しておりこの場合Ｒ、Ｇ、Ｂ  ＬＥＤ３０７の各々のＬＥＤの電流は同じである。よって、Ｒ、Ｇ、Ｂ  ＬＥＤ３０７の各々のＬＥＤの発光強度は同一であり、かつ各々のＬＥＤの発光タイミングも同一であるため一つの線で示している。
【００５２】
図１５（ｂ）ようにｔ０で先幕が走行しシャッターが全開時点でストロボの点灯がｔ＿ｓｙｎｃ．で行われ後幕が走行する時間（ｔ１）まで点灯するようになっている。Ｒ、Ｇ、Ｂ  ＬＥＤ３０７を光源とする本件のストロボ装置３００ではシャッター秒時（ＴＶ）がストロボ同調秒時（ｔｘ）より長く点灯させれば点灯時間はｔ１からｔ２と延びるため、
ＧＮｏ．（２）＝ＧＮｏ．（１）×√（ｔ２／ｔ１）
ＧＮｏ．（１）；ｔ１時間点灯時のガイドナンバー
ＧＮｏ．（２）；ｔ２時間点灯時のガイドナンバー
のようにガイドナンバーは増加する。従って、ｔ２時間が無限大となるとガイドナンバーも無限大となる。しかしながら、無限に点灯させても手ぶれが発生することから露光時間は手ぶれの発生が許容出来る有限の値で決定されなければならない。従って、Ｒ、Ｇ、Ｂ  ＬＥＤ３０７のストロボの到達距離はＲ、Ｇ、Ｂ  ＬＥＤの手ぶれの許容点灯時間で決まるガイドナンバー（ＧＮｏ．）と撮影時の絞り値（ＦＮｏ．）で決定する必要がある。
【００５３】
以上のような色温度を可変に設定可能な光源を有するストロボ装置からなるカメラシステムの構成を用いた、本発明に係る実施例の動作説明を図面などを参照して説明する。まず、図１の構成図、図４および図６のフローチャートに基づき、本実施の形態における色温度設定シーケンスを説明する。先ずカメラ側での色温度の設定を図４のフローチャートに基づき説明する。カメラ側の色温度設定はホワイトバランスの設定により行われる。
【００５４】
ステップ（以下、Ｓと略す）１で入力部１１２の図示しない入力ボタンまたはダイヤルによりホワイトバランスの選択モードに入るとダイヤルの回転によりホワイトバランスの設定が可能となる。
【００５５】
Ｓ２でダイヤル入力によりオートホワイトバランス（ＡＷＢ）が図示しない決定ボタンを押すことで選択されるとＳ３でカメラにて自動的に撮影シーンに合わせたホワイトバランスが選択されるモードとなる。Ｓ３において、カメラマイコン１０１は測光回路１０６より被写体輝度及び色情報を取得し、光源種を判別する。そして、判別した光源種に則した色温度を３０００Ｋ（ケルビン）〜１００００Ｋの範囲で自動設定し、Ｓ１４に進む。なお、ストロボ装置の撮影周辺光測光回路３２４の出力に基づき、光源種を判別しても構わない。
【００５６】
オートホワイトバランスを選択せず更にダイヤルを回転することでＳ４で太陽光下での撮影に適したホワイトバランスが選択可能となる。図示しない決定ボタンを押すことで太陽光を選択するとＳ５で色温度は約５２００Ｋに設定されＳ１４に進む。
【００５７】
太陽光下を選択せず更にダイヤルを回転することでＳ６で曇りの曇天下での撮影に適したホワイトバランスが選択可能となる。図示しない決定ボタンを押すことで曇天下を選択するとＳ７で色温度は約６０００Ｋに設定されＳ１４に進む。
【００５８】
曇天下を選択せず更にダイヤルを回転することでＳ８で白熱電球下での撮影に適したホワイトバランスが選択可能となる。図示しない決定ボタンを押すことで白熱電球下を選択するとＳ９で色温度は約３２００Ｋに設定されＳ１４に進む。
【００５９】
白熱電球下を選択せず更にダイヤルを回転することでＳ１０で白色蛍光灯下での撮影に適したホワイトバランスが選択可能となる。図示しない決定ボタンを押すことで白色蛍光灯下を選択するとＳ１１で色温度は約４０００Ｋに設定されＳ１４に進む。
【００６０】
白色蛍光灯下を選択せず更にダイヤルを回転することでＳ１２でストロボ光下での撮影に適したホワイトバランスが選択可能となる。ここで、ストロボ光下とはキセノン管を光源とする照明条件を意味する。図示しない決定ボタンを押すことでストロボ光下を選択するとＳ１３で色温度は約６０００Ｋに設定されＳ１４に進む。
【００６１】
ストロボ光下を選択せず更にダイヤルを回転するとＳ１に戻り色温度設定モードのシーケンスに戻る。
【００６２】
Ｓ１４ではカメラマイコン１０１は選択された色温度設定を図示しないＲＡＭ等のメモリである記憶装置に記憶する。そしてＳ１５でカメラマイコン１０１は表示部１１３のホワイトバランス表示の表示変更を行う。図５にホワイトバランス表示の一例を示す。
【００６３】
図５（ａ）〜（ｆ）は、上述したホワイトバランス設定に対応した指標であり、それぞれオートホワイトバランス（ＡＷＢ）太陽光下、曇りの曇天下、白熱電球下、白色蛍光灯下、ストロボ光下を示している。
【００６４】
なお、本実施例では図５（ａ）から図５（ｆ）まで予め決定されたホワイトバランスを選択するよう説明を行ったが直接指定の色温度を入力するものであっても良い。
【００６５】
そして、Ｓ１６では、カメラマイコン１０１はストロボマイコン３１０とインタフェースの信号ラインＳＣを介して色温度設定に用いられる色温度に関する情報としてホワイトバランス設定データを含むデータの通信を行いホワイトバランスの設定を終了する。
【００６６】
続いて、ストロボ側での色温度の設定を図６のフローチャートに基づき説明する。ストロボ装置３００は、カメラ１００側で設定した色温度に関する情報であるホワイトバラスス設定に基づき、ストロボ光の色温度の設定を行う。
【００６７】
Ｓ５０では、ストロボマイコン３１０はカメラマイコン１０１からのインタフェースの信号ラインＳＣを介して取得可能な通信データを受信するよう待機し、通信があれば受け取りＳ５１に進む。Ｓ５１でストロボマイコン３１０は、色温度に関する情報を取得する色温度取得ステップとして、通信データを受信し、取得した通信データを図示しないメモリに記憶する。取得した通信データの内ホワイトバランス設定データを抽出し、色温度に関する情報を取得する。
【００６８】
続く、Ｓ５２では、ストロボマイコン３１０はカメラマイコン１０１から得たホワイトバランス設定データに基づき、カメラのホワイトバランス設定に対応した色温度でＲ、Ｇ、Ｂ  ＬＥＤ３０７の発光比率を決定する。つまり、Ｒ、Ｇ、Ｂ  ＬＥＤ３０７の発光比率を前述した図７、図８又は図９に従って変更を行うことで設定された色温度での発光をストロボ側で設定することがが可能となる。
【００６９】
例えば、図９によれば例えば２８００ＫではＩ（ＲＥＤ）が定電流回路の最大電流で１となりＩ（ＧＲＮ）は０．３２、Ｉ（ＢＬＵ）は０．１９の比率で電流を制御する。同様に太陽光下の約５２００Ｋ、曇天下の約６０００Ｋ、白熱電球の約３２００Ｋ、白色蛍光灯下の約４０００Ｋ、ストロボ光下の約６０００Ｋも図９による電流比率を設定すれば良い。このように、色温度取得ステップにより取得した色温度に関する情報に基づき、光源から発せられるの光の色温度を設定することができる。
【００７０】
なお、本実施例では前述のようにＲ２４，Ｒ２７，Ｒ３０が簡単のため同一抵抗値としている。したがって、バイアス電圧を電流比率と同等比率にすることでもストロボ光の色温度の設定は可能である。例えば、図９で白熱電球下が選択された場合は約３２００Ｋであり、Ｖ（Ｒ）を１ＶとすればＶ（Ｇ）は０．４２Ｖ、Ｖ（Ｂ）は０．２８Ｖにバイアス電圧を設定すればよい。このように、ストロボマイコン３１０は、バイアス電圧の出力比を制御することで、Ｒ、Ｇ、Ｂ  ＬＥＤ３０７からのストロボ光の色温度を設定することも可能である。
【００７１】
また、ストロボマイコンは３１０は色温度に関する情報として、ホワイトバランス設定を取得し、取得したホワイトバランス設定に基づき、Ｒ、Ｇ、Ｂ  ＬＥＤ３０７の発する光の色温度の設定を行うことが可能となる。
【００７２】
図６に戻り、以上の様にＳ５２で発光比率を決定しＳ５３に進む。Ｓ５３で、ストロボマイコン３１０は設定された色温度に基づき、基準到達距離に対する色温度による距離の補正値又はＧＮｏ．の補正量を演算する。ここで、距離の補正値とは、基準となる色温度で求めた基準到達距離に対する色温度の変化による到達距離の変化の比率である。ストロボマイコン３１０はＳ５２で決定された発光比率によりＲ、Ｇ、Ｂ  ＬＥＤ３０７の発光輝度の変化から距離の補正値を求める。ストロボマイコン３１０は不図示のＲＡＭ等の記憶装置に求めた、色温度の設定による距離の補正値またはＧＮｏ．の補正量を記憶する。
【００７３】
ここで、記号Ｙを発光輝度とすれば、
Ｙ＝０．３×Ｉ（ＲＥＤ）＋０・５９×Ｉ（ＧＲＮ）＋０．１１×Ｉ（ＢＬＵ）
と表現することが出来る。
【００７４】
また、ガイドナンバー（ＧＮｏ．）、距離（Ｌ）、絞り（ＦＮｏ．）及び輝度との関係は
ＧＮｏ．＝Ｌ×ＦＮｏ．  ∝√（Ｙ）
となる。このため、色温度の設定により発光時のＲ、Ｇ、Ｂ  ＬＥＤ３０７の輝度（Ｙ）が変化することでガイドナンバーが変化する。一方、図９に示す通りＲ、Ｇ、Ｂ  ＬＥＤそれぞれの相対強度の最大値を１とした輝度（Ｙ）の平方根を距離の補正値とすれば、ガイドナンバーの係数となり、絞り値が一定であれば距離の補正値と等価とみなせるため、距離の補正値を演算し求めることが可能となる。つまり、距離の補正値を（ｋ）とすると、
（ｋ）＝√（Ｙ）
と求めることが出来る。
【００７５】
本実施例では図９に示す様に最大定電流をＲ、Ｇ、Ｂ  ＬＥＤ３０７のそれぞれ赤、緑、青に流した場合６０００Ｋとなり輝度が最大となる。これを基準に各色温度による輝度変化を段数で示した値が図９の輝度比（段数）にあたり、６０００Ｋを基準とした光量の比でこれをＧＮｏ．の補正量と呼ぶとする。一方、距離の補正値は距離に対する係数を示している。
【００７６】
例えば、ストロボマイコン３１０はホワイトバランスの設定において、白熱電球下が選択され、色温度が約３２００Ｋであったと判断した場合、補正値を演算するとこの例では距離の補正値は０．７６となる。
【００７７】
この距離の補正値により、色温度の設定による到達距離導出が可能となる。例えば、色温度が６０００Ｋでの場合でＩＳＯ１００、ＧＮｏ．２０、レンズユニット２００の絞り２０５がＦｎｏ．４の場合での到達距離を基準とすると、この場合の到達距離は５ｍとなる。白熱電球下の３２００Ｋでは到達距離に距離の補正値を掛け０．７６倍すなわち約３．８ｍとなり、色温度の設定による距離の補正値を演算することで到達距離導出が可能となる。
【００７８】
なお、この距離の補正値は、色温度に対するバイアス電圧比と共にテーブルとして記憶しておくことでも良い。つまり、ストロボマイコン３１０は、Ｓ５２で求めたバイアス電圧比等に基づき、テーブルを参照することで距離の補正値を取得することも可能である。上記と同様に、感度や絞り等の撮影情報とテーブルを参照することにより取得した距離の補正値により、到達距離を導出する構成としても良い。以上の様にストロボマイコン３１０は、Ｓ５３で距離の補正値（又はＧＮｏ．の補正量）を決定し、不図示のＲＡＭ等の記憶装置に保存し、Ｓ５４に進む。
【００７９】
Ｓ５４ではストロボマイコン３１０はＳ５１の通信で得られたホワイトバランスデータに応じて図１のストロボの表示部３２１に表示を行う。一例として図１０（ａ）にオートホワイトバランス時、図１０（ｂ）に太陽光下、図１０（ｃ）には曇りの曇天下が選択されていた場合の表示例を示す。このように、ストロボ装置３００にもホワイトバランス設定を識別可能に表示することで、ストロボ光の色温度がどのような光源に合わせたものなのかユーザにより分かりやすく認識させることが出来る。Ｓ５４で以上の表示を行いこの色温度設定のルーチンを終了する。
【００８０】
次に、図１の構成図および図１１、図１３のフローチャートにより、カメラシステムのストロボ撮影時の一連の撮影動作における到達距離の導出について説明する。図１１はカメラシステムの一連の撮影動作を示すフローチャートである。
【００８１】
カメラシステムが動作を開始すると、カメラマイコン１０１は、まずＳ１０１で、入力部１１２の図示しないシャッターボタンの半押し状態であるＳＷ１がＯＮか否かを判別する。判別結果がＯＦＦのときはこのステップを繰り返しＳＷ１の押されることを待つ待機状態にある。カメラマイコン１０１は、ＳＷ１がＯＮであることを判別するとＳ１０２に進み、入力部１１２より入力されたスイッチの状態や予め設定された入力情報を読み込み、シャッター秒時（ＴＶ）の決め方や、絞りの決め方等様々な撮影モード、撮影条件の設定を行う。
【００８２】
次のＳ１０３で、カメラマイコン１０１は、Ｓ１０２にて設定されたカメラの撮影モードのうち、カメラが自動焦点検出動作を行うモード（ＡＦモード）であるか、そうでないモード（ＭＦモード）であるかを判別する。Ｓ１０３でＡＦモードであればＳ１０４に進み、ＭＦモードであれば、すぐにＳ１０６へ進む。
【００８３】
Ｓ１０４では、焦点検出回路１０７を駆動することにより周知の位相差検出法による焦点検出動作を行う。またＳ１０４では、複数の測距点からどのポイントに合わせるか（測距ポイント）は、前述の入力部１１２により入力し設定されたポイントまたはカメラの撮影モードに応じて決定する。なお、近点優先を基本の考え方とした周知の自動選択アルゴリズムなどで決定してもよい。
【００８４】
次に、Ｓ１０５において、カメラマイコン１０１はＳ１０４で決定された測距ポイントを図示しないＲＡＭに記憶させる。更に、カメラマイコン１０１は焦点検出回路１０７の情報に基づきレンズの駆動量を演算し、この演算結果に基づきレンズマイコン２０１にＳＣラインを介して情報を与えレンズマイコン２０１はレンズ駆動回路２０３を制御してレンズ群２０２を合焦位置に駆動する。駆動が完了することでＳ１０６へ進む。
【００８５】
Ｓ１０６において、カメラマイコン１０１は、被写体輝度値を測光回路１０６より得る。この実施例では、一例として画面上の６つのエリアに分割し被写体輝度値を測光回路１０６より得る。その被写体輝度値は、
ＥＶｂ（ｉ）    （ｉ＝０〜５）
として、カメラマイコン１０１内のＲＡＭに記憶させる。
【００８６】
Ｓ１０７では、カメラマイコン１０１は、複数のエリアの被写体輝度値ＥＶｂから、周知のアルゴリズムにより露出値（ＥＶｓ）を決定する。そして、設定されたカメラの撮影モードに応じて、レンズユニット２００のシャッター秒時（ＴＶ）と絞り２０５の値（ＦＮｏ．）を決定する。このように、カメラマイコン１０１は、入力部１１２より入力された入力情報や測光回路１０６から得られた被写体輝度値等に基づき、撮影条件設定を行うことが出来る。
【００８７】
Ｓ１０８では、カメラマイコン１０１はＳＣラインを介してレンズマイコン２０１とデータの通信を行い、レンズユニット２００の情報である、
焦点距離（ｆ）
被写体との距離情報（Ｄ）
防振駆動の作動選択  （ＯＮ／ＯＦＦ）
防振段数  （ＩＳ＿ＥＶ）
等を受信する。
【００８８】
次に、Ｓ１０９で、カメラマイコン１０１はＳＣラインを介してカメラの撮影条件設定を示す撮影情報等をストロボマイコン３１０に送信し、ストロボマイコン３１０からはストロボ撮影に必要なデータの受信を行う。続いて、Ｓ１１０で、入力部１１２の図示しない撮影開始のスイッチであるＳＷ２がＯＮであるか否かを判別し、ＯＦＦであればＳ１０１〜１１０までの動作を繰り返し、ＯＮであればＳ１１１以下の一連のレリーズ動作に進む。
【００８９】
Ｓ１１１では、カメラマイコン１０１は、ストロボ装置３００のプリ発光の直前に被写体輝度を測光回路１０６により得る。６分割されたセンサーの各輝度値は、上記と同様、
ＥＶａ（ｉ）    （ｉ＝０〜５）
として、図示しないＲＡＭに記憶させる。Ｓ１１２では、カメラマイコン１０１はストロボマイコン３１０に対してＳＣラインからプリ発光の命令を行う。ストロボマイコン３１０はこの命令に従って、昇圧回路３０２、電流制御回路３０８を制御して所定時間所定光量の発光を行い被写体に照射するプリ発光動作を行う。そして、Ｓ１１３で、カメラマイコン１０１は、プリ発光時の被写体輝度を測光回路１０６により得る。ここでは、その輝度値は６つの測光エリアに分割された領域に応じて、
ＥＶｆ（ｉ）    （ｉ＝０〜５）
として、ＲＡＭに記憶させる。
【００９０】
Ｓ１１４で、カメラマイコン１０１は、露光動作に先立ってハーフミラー１０４をアップさせ、撮影光路内から退去させる。Ｓ１１５で、カメラマイコン１０１は、以下の式のような演算を行う。
ＥＶｄｆ（ｉ）←ＬＮ２  （２＾ＥＶｆ（ｉ）−２＾ＥＶａ（ｉ））    （ｉ＝０〜５）
つまり、Ｓ１１３のプリ発光持続時の被写体輝度値ＥＶｆからＳ１１１のプリ発光直前の被写体輝度値ＥＶａを伸張したあと差分を取り、プリ発光の反射光成分のみの輝度値ＥＶｄｆ（ｉ）を抽出する。抽出は６つの測光エリア毎におこなわれる。
【００９１】
Ｓ１１６で、カメラマイコン１０１は、ストロボからのプリ発光の光量（Ｑｐｒｅ）データを得る。ここで、プリ発光の光量（Ｑｐｒｅ）は、図１２に一例を示したようにＲ、Ｇ、Ｂ  ＬＥＤ３０７ではズーム位置により変化する。本実施例では光量はズーム位置により変化し、ストロボ光下６０００Ｋで所定の定電流最大駆動時を基準として、後述するが照射角の狭い１０５ｍｍから照射角の広い２４ｍｍではガイドナンバーが２．１ＥＶ低下する。他の照射角では粗く示したがおよそ図１２に示す通りである。ここで、色温度設定のためＲ、Ｇ、Ｂ  ＬＥＤ３０７の各々のＬＥＤの定電流値を変更する場合には発光輝度に対応した距離の補正値が必要なことは言うまでもない。カメラマイコン１０１は、前述のＳ５３において求められた距離の補正値またはＧＮｏ．の補正量を図示していないＲＡＭ等から参照し、プリ発光の光量（Ｑｐｒｅ）を色温度に基づき補正する。
【００９２】
以上の様にレンズユニット２００の焦点距離情報（ｆ）によりストロボマイコン３１０がズーム駆動部３１３及び位置検出部３１４によりストロボ装置３００のズーム動作を行い、この時のズーム位置に対応して求めた値がプリ発光の光量となる。さらにカメラマイコン１０１は、測距ポイント（Ｆｏｃｕｓ．ｐ）、焦点距離（ｆ）、プリ発光量（Ｑｐｒｅ）等から、ストロボ光量を分割された６つの測光エリアのうちどのエリアの被写体に対して適正にもって行くべきかをを選出する。選出されたエリアをＰ（０〜５のうちのどれか）として、図示しないＲＡＭ内に記憶させる。
【００９３】
次にＳ１１７では、カメラマイコン１０１は、本発光量を演算する。露出値（ＥＶｓ）と被写体輝度（ＥＶｂ）とプリ発光反射光分のみの輝度値ＥＶｄｆ（ｐ）とから、設定または選出されたエリア（Ｐ）の被写体について、プリ発光の光量に対して適正となるメイン発光量の相対比（ｒ）を求める。相対比（ｒ）は次式にとって求める。
（ｒ）←ＬＮ２  （２＾ＥＶｓ  −２＾ＥＶｂ（ｐ））−ＥＶｄｆ（ｐ）
ここで、露出値（ＥＶｓ）から被写体輝度（ＥＶｂ）の伸張したものの差分をとっているのは、ストロボ光を照射したときの露出が、外光分にストロボ光を加えて適正となるように制御するためである。
【００９４】
次に、Ｓ１１８で、カメラマイコン１０１は次式のようにシャッター秒時（ＴＶ）と、プリ発光の発光時間（ｔ＿ｐｒｅ）と、撮影者により入力部１１２により予め設定された露出補正係数（ｃ）とを用いて相対比（ｒ）を補正し、新たな相対比ｒを演算する。
ｒ←（ｒ）＋ＴＶ−ｔ＿ｐｒｅ＋ｃ
ここで、シャッター秒時（ＴＶ）とプリ発光の発光時間（ｔ＿ｐｒｅ）を用いて補正するのは、ストロボ回路内で、プリ発光の測光積分値（ＩＮＴｐ）とメイン発光の測光積分値（ＩＮＴｍ）とを正しく比較するためである。
【００９５】
Ｓ１１９で、カメラマイコン１０１はＳＣラインを介してストロボマイコン３１０へメイン発光量を決定するためのプリ発光の光量の相対比ｒをストロボ装置３００に送信する。そして、Ｓ１２０では、カメラマイコン１０１は、決められた露光値（ＥＶｓ）に基づく絞り値（ＦＮｏ．）になるようにレンズマイコン２０１に指令を出す。また、決められたシャッター秒時（ＴＶ）になるように図示しないシャッター制御回路を介してシャッター１０３を制御する。
【００９６】
そして、Ｓ１２１ではシャッター１０３の全開に同期してカメラマイコン１０１はＳＣラインを介してストロボマイコン３１０に本発光の発光信号を与える。ストロボマイコン３１０は、カメラから送られてきた相対比ｒに基づいて適正な発光量になるようにメイン発光制御を行う。
【００９７】
こうして一連の露光動作が終了すると、Ｓ１２２で、撮影光路より退去させていたハーフミラー１０４をダウンして再び撮影光路内に斜設させる。続く、Ｓ１２３では撮像素子１０２の画素データをＡ／Ｄ変換器１０８でデジタル信号として変換する。変換された画素データはＳ１２３でホワイトバランスなど所定の信号処理を信号処理回路１１０で行う。そしてＳ１２４で、カメラマイコン１０１は、処理された画像データを図示しないメモリに記憶して撮影のルーチンを終了する。
【００９８】
ここで、カメラ本体１００に装着されたストロボ装置３００側の撮影動作およびストロボ光の到達距離の導出を図１３に示すフローチャートを用いて説明する。
【００９９】
ストロボ装置３００側では図１１のＳ１０９でカメラから送られるデータを図１３のフローチャートのＳ２０１で待つ待機状態にある。
【０１００】
Ｓ２０１でストロボマイコン３１０は、カメラからのデータが送られて来ると判断すると、Ｓ２０２においてストロボマイコン３１０は撮影情報取得ステップとしてカメラマイコン１０１からＳＣラインを介して
感度（ゲイン）情報  （ＩＳＯ）
焦点距離情報（ｆ）
絞り値（ＦＮｏ．）
シャッター秒時（ＴＶ）
ストロボ同調秒時（ｔｘ）
防振駆動の作動選択の有無（ＯＮ／ＯＦＦ）
防振によるＧＮｏ．補正量（ＩＳ＿ＥＶ）
等の撮影条件設定に関する撮影情報等を受信し、取得する。同様に、ストロボマイコン３１０はカメラマイコン１０１へ同様にＳＣラインを介して
ガイドナンバーデータ  （ＧＮｏ．）
プリ発光の光量積分値  （Ｑｐｒｅ．）
Ｒ、Ｇ、Ｂ  ＬＥＤの駆動電流  Ｉ（Ｒ）、Ｉ（Ｇ）、Ｉ（Ｂ）
ズームデータ  （Ｚｏｏｍ）
バウンスモード  （Ｂｏｕｎｃｅ）
輝度による距離の補正値（ｋ）
等の必要なデータを与える。
【０１０１】
そして、Ｓ２０３で、ストロボマイコン３１０は、前述のＳ２０２で示す撮影情報取得ステップにおいてカメラマイコン１０１から受信し、取得した撮影情報からストロボ光の到達距離を導出する。このルーチンの詳細は後述する。
【０１０２】
Ｓ２０４でストロボマイコン３１０はファインダーまたは背面の表示部３２１にＳ２０３よって導出された到達距離の結果とともに必要なデータをユーザに識別可能に表示する。そしてＳ２０５で、ストロボマイコン３１０はカメラマイコン１０１より受信した焦点距離情報（ｆ）に基づいてズーム駆動部３１３を駆動する。そして、位置検出部３１４でズーム駆動部３１３の移動量を検出しながらレンズユニット２００の焦点距離に対応した所定の位置に移動させストロボの照射角を設定する。そして一連のシーケンスを終えてもとの通信の待機状態に戻る。
【０１０３】
次に、図１３のステップＳ２０３にて実行されるストロボ装置３００のストロボ光の到達距離の導出について、図１４の到達距離導出プログラムを示すフローチャートを用いて詳細な説明を行う。まず、Ｓ３０１において、ストロボマイコン３１０は基準となるストロボ光下約６０００Ｋでのストロボ光基準到達距離の計算を行う。ここで、ガイドナンバーを決定するファクターとしては下記のようなものがある。
ＧＮＯ．∝√（ＩＳＯ）∝√（ｔ）∝√（Ｙ）
ＩＳＯ；感度（ゲイン）
ｔ  ；Ｒ、Ｇ、Ｂ  ＬＥＤの点灯時間
Ｙ  ；Ｒ、Ｇ、Ｂ  ＬＥＤの輝度
【０１０４】
その他にストロボ装置３００のズームによるガイドナンバー変化やシャッター秒時（ＴＶ）を延ばすことが可能となる防振機能の有無でもガイドナンバーは変化する。
【０１０５】
Ｓ３０１では、ＩＳＯ感度（ゲイン）やシャッター秒時（ＴＶ）によりストロボ装置３００のガイドナンバー（ＧＮｏ．）が変化するためまず、基準となるガイドナンバー条件を決定している。図１２の各ファクターにて基準ファクターのＧＮｏ．補正量（ＥＶ）が“０”とする、すなわち
感度（ゲイン）        （ＩＳＯ）            １００
ストロボズーム焦点距離（Ｚｏｏｍ＿ＳＴ）    １０５ｍｍ
一般的ストロボ同調秒時                      １／６０秒
防振なし              （ＩＳ＿ＥＶ）        ０
を基準に色温度６０００Ｋでの基準ガイドナンバー（ＧＮＯ＿ＳＴＤ）が決められており、これらのファクターの変化に応じて撮影時のガイドナンバーは変化し到達距離が変わる。
【０１０６】
基準となる光量に関する情報はそれぞれのストロボ装置に記憶されている。本実施の形態では色温度６０００Ｋでの基準ガイドナンバー（ＧＮＯ＿ＳＴＤ）が不図示の記憶装置に記憶されており、各ファクターの変化によるＧＮｏ．補正量によりそれぞれ補正される。
【０１０７】
上記条件によりＳ３０１で求めるストロボの基準到達距離は記憶された色温度６０００Ｋでの基準ガイドナンバー（ＧＮＯ＿ＳＴＤ）と前述の図１３のＳ２０２で所得したカメラマイコン１０１からの絞り値（ＦＮｏ．）により、以下のように決定する。
色温度６０００Ｋでの基準到達距離（ｍ）＝（ＧＮＯ＿ＳＴＤ）／（ＦＮｏ．）
ストロボマイコン３１０は基準となる光量に関する情報から求めた基準到達距離をＲＡＭ等の図示していない記憶装置に記憶しておく。
【０１０８】
Ｓ３０２では、ストロボマイコン３１０はカメラマイコン１０１より受信し、取得した撮影情報にレンズユニット２００の焦点距離情報があるか否かを判断する。焦点距離情報があればＳ３０３に進みストロボマイコン３１０は焦点距離の逆数秒時（１／ｆ）とカメラ１００のストロボ同調秒時（ｔｘ）を比較する。一般的な手ぶれの許容点灯時間は焦点距離（ｆ）の逆数  １／ｆとされ、本実施例でも同様とする。Ｓ３０３でストロボ同調秒時（ｔｘ）より長いと判定された場合にはＳ３０４でシャッター秒時（ＴＶ）を焦点距離の逆数秒時（１／ｆ）とする。
【０１０９】
また、Ｓ３０３でレンズユニット２００の焦点距離の逆数秒時（１／ｆ）とストロボ同調秒時を比較してストロボ同調秒時（ｔｘ）より短い場合にはＳ３０５でシャッター秒時（ＴＶ）をストロボ同調秒時（ｔｘ）とする。また、Ｓ３０２でカメラマイコン１０１から受信し取得した撮影情報の焦点距離情報（ｆ）の有無を確認して、情報の無い場合にはＳ３０６で標準レンズの焦点距離５０ｍｍとする。また、Ｓ３０７ではシャッター秒時（ＴＶ）を一般的なストロボ同調秒時（ｔｘ）として１／６０秒としてＳ３０８に進む。
【０１１０】
Ｓ３０８ではストロボマイコン３１０はカメラマイコン１０１から受信し、取得した撮影情報で防振駆動の作動選択の有無を確認し、防振が作動していればＳ３０９に進む。Ｓ３０９で防振機能でのシャッター秒時（ＴＶ）を何段シフト出来るかのシャッター秒時寄与段数（ＩＳ＿ＥＶ）の情報を確認しＳ３１０に進む。Ｓ３０８で防振機能が無いか、または防振駆動が作動していない場合にはそのままＳ３１０に進む。
【０１１１】
Ｓ３１０では、ストロボマイコン３１０は、これまで判断した撮影情報を基に、ガイドナンバーの補正量を求める。各ファクターによるガイドナンバーの補正量の一例を図１２に示す。なお、図１２に示す各ファクターによるガイドナンバーの補正量を示すテーブルを図示していないＲＯＭ等の記憶装置に記憶されていていもよい。補正量を示すテーブルは随時ＲＡＭ等のストロボマイコン３１０のワークメモリに展開されることでストロボマイコン３１０は参照できるものとする。
【０１１２】
そして、Ｓ３１１において、ストロボマイコン３１０は前述の図６のフローのＳ５３により、求めた色温度による距離の補正値またはＧＮｏ．の補正量を図示していないＲＡＭ等の記憶装置から読み出す。
【０１１３】
次に、Ｓ３１２において、ストロボマイコン３１０は、Ｓ３０１により求めた基準到達距離をＳ３１１やＳ３１２により求めた各ファクターによるガイドナンバーの補正量、色温度による距離の補正値により補正する演算を行う。図１６に基準到達距離と補正量の関係を示す。図１６では横方向に基準ガイドナンバーと撮影時の絞りで決定する基準到達距離、縦方向にガイドナンバーの補正量を示している。なお、ストロボマイコン３１０は図１６に示す、基準到達距離と補正量との関係を計算により求めても、テーブルを参照することにより求めることもできる。
【０１１４】
到達距離の演算の一例として、Ｓ３０１でストロボ光６０００Ｋでの基準ガイドナンバー（ＧＮＯ．＿ＳＴＤ）が４５であった場合かつ絞り情報（ＦＮｏ．）がＦＮｏ．５．６である場合には基準到達距離は
基準到達距離＝（ＧＮＯ．＿ＳＴＤ）／（ＦＮｏ．）＝４５／５．６＝８（ｍ）
となる。
【０１１５】
一方、たとえば前述のＳ２０２で示す撮影情報取得ステップにおいて、カメラマイコン１０１より取得した撮影情報が
感度（ゲイン）        （ＩＳＯ）            ４００
ストロボズーム焦点距離（Ｚｏｏｍ＿ＳＴ）    ５０ｍｍ
レンズ焦点距離（ｆ）                        ５０ｍｍ
カメラのストロボ同調秒時（ｔｘ）            １／５０秒
防振付き              （ＩＳ＿ＥＶ）        ２段  （Ｓ３０９にて確認）
であった場合
上記撮影条件設定でＳ３１０によるガイドナンバーの補正量の演算は、図１２より
感度（ゲイン）                    １００→４００        補正量＋２
ストロボズーム焦点距離        １０５ｍｍ→５０ｍｍ      補正量  −０．９
シャッター秒時（ＴＶ）          １／６０→１／５０      補正量  ＋０．３
防振（ＩＳ＿ＥＶ）                    ０→２
補正量（１）＝２（ＩＳＯ）−０．９（５０ｍｍ）＋０．３（ｔ＿ｓｈ）＋２（ＩＳ＿ＥＶ）＝＋３．４段
上記条件でのＳ３１０における演算結果は＋３．４段の補正量となる。
【０１１６】
続いて、Ｓ３１２において、色温度の設定による補正が加わる。白熱電球下が選択された場合で約３２００Ｋであれば図９で示すように色温度による輝度変化に伴うＧＮｏ．の補正量（輝度比）−０．７９段が加わり＋補正量（１）３．４段に対して最終的に下記の様に＋２．６１段のガイドナンバーの補正量となる。
補正量（ａ）＝２（ＩＳＯ）−０．９（５０ｍｍ）＋０．３（ｔ＿ｓｈ）＋２（ＩＳ＿ＥＶ）−０．７９（ｋ）＝＋２．６１段
この場合Ｓ３１２において、上述した基準到達距離８ｍと補正量＋２．５段（＋２．６１段を丸めた）による補正が行われ、到達距離が演算される。図１６によると、基準到達距離８ｍと補正量＋２．５段の交点に示される距離は１９ｍと演算結果が求められる。
【０１１７】
また、防振無しの場合も同様に
補正量（２）＝２（ＩＳＯ）−０．９（５０ｍｍ）＋０．３（ｔ＿ｓｈ）＝１．４段
となる。
【０１１８】
又、同様に色温度の設定による補正が加わり、白熱電球下が選択された場合で約３２００Ｋであれば色温度による輝度変化に伴う補正量（輝度比）−０．７９段が加わり＋１．４段に対して最終的に下記の様に＋０．６１段の補正となる。
補正量（ｂ）＝２（ＩＳＯ）−０．９（５０ｍｍ）＋０．３（ｔ＿ｓｈ）−０．７９（ｋ）＝＋０．６１段
となる。
【０１１９】
防振なしかつ白熱電球下が選択された場合、基準ガイドナンバーによる基準到達距離８ｍに対して約＋０．５段（＋０．６１段を丸めた）の補正量となり図１６から９．５ｍと演算結果が求められる。
また、同条件で撮影情報にレンズ焦点距離情報が無い場合にはレンズ焦点距離（ｆ）を６０ｍｍとして一般的な同調秒時１／６０をシャッター秒時（ＴＶ）を用いて演算される。
【０１２０】
この時、防振機能が無いか防振機能がＯＦＦの場合では
補正量（３）＝２（ＩＳＯ）−０．９（５０ｍｍ）＋０（ｔ＿ｓｈ）＝１．１段
又、同様に色温度の設定による補正が加わり、ストロボ光が選択された場合で約６０００Ｋであれば色温度による輝度変化に伴う補正値は０段となり＋１．１段の補正となる。
補正量（ｃ）＝２（ＩＳＯ）−０．９（５０ｍｍ）＋０（ｔ＿ｓｈ）＋０（ｋ）＝１．１段
防振なしかつレンズ焦点距離情報が無いかつストロボ光が選択された場合、基準ガイドナンバーによる基準到達距離８ｍに対して約＋１．０段（＋１．１段を丸めた）の補正量となり図１６から１１ｍと演算結果が求められる。
【０１２１】
以上のように、Ｓ３１２においてストロボマイコン３１０は、基準到達距離を、撮影情報や色温度に関する情報を加味して求めたガイドナンバーの補正量を用いて導出する。そして、Ｓ３１３において、ストロボマイコン３１０は、Ｓ３１２において導出した到達距離を決定し、到達距離の結果に関するデータをＲＡＭ等の記憶装置に記憶する。
【０１２２】
なお、ここでは段数にて説明を行ったが、図１２の各ファクターにより演算された到達距離に図９の補正値を掛け合わすことで演算しても良い。また、ストロボマイコン３１０は図１２に示す各ファクターや色温度の設定に対しての到達距離を全てテーブルとして記憶装置に保持し、そのテーブルを参照することで到達距離を導出するように構成しても良い。
【０１２３】
以上のように補正量（ａ）から補正量（ｃ）によって求めた到達距離の結果は、前述の図１３のフローチャートＳ２０４において、図１７に示すような左側のバー表示や右側の絶対値の距離表示になど識別可能に表示される。その際、ストロボマイコン３１０は、前述のＳ３１３によって記憶した到達距離に関するデータに基づき、到達距離を表示部３２１に識別可能に表示するよう出力する。
【０１２４】
以上の説明を行ったようにＲ、Ｇ、Ｂ  ＬＥＤ３０７によるストロボ装置３００では点灯時間や感度（ゲイン）、ズーム位置の変化によりガイドナンバーが変化し、更に光源の色温度変化による輝度変化でガイドナンバーが変化してしまう。従って、Ｒ、Ｇ、Ｂ  ＬＥＤ３０７の輝度の変化を加味し、基準となるストロボ光の光量を補正する演算を行い、ストロボの到達距離を導出した。
【０１２５】
このように、色温度の設定やその他のファクターの変化に対してカメラのシャッターボタンの第一ストロークすなわち撮影準備動作中にて演算又はテーブルを参照して逐次到達距離を導出し、表示することで撮影者は撮影に先立って撮影距離を知ることが出来る。したがって、撮影範囲外の撮影で光量不足などが発生することを事前に防止することが出来る。
【０１２６】
また、カメラ側で設定したホワイトバランスの設定に基づき、ストロボ光の色温度を設定したため、ストロボ光の影響が少なく、ユーザが所望の色合いを表現できる撮影が可能となる。
【０１２７】
＜第２の実施の形態＞
第１の実施の形態では、カメラ１００のホワイトバランスの設定に基づき、ストロボ装置３００の発する光の色温度の設定を行ったが、第２の実施の形態では撮影時の周辺光に基づき色温度の設定を行う。なお、カメラシステムの構成は図１と同様であり、第１の実施の形態と説明が重複する場合は省略する。
【０１２８】
ストロボ光の到達距離導出のシーケンスは第１の実施の形態の図１４と同様であるが、第２の実施の形態における、Ｓ３１１での色温度の設定による補正シーケンスを、図１８のフローチャートをを用いて詳細に説明する。
【０１２９】
Ｓ６０１で、ストロボマイコン３１０は、色温度に関する情報を取得する色温度取得ステップとして、撮影周辺光測光回路３２４を駆動させ撮影周辺光の測光を行う。撮影周辺光測光回路３２４は撮影周辺光を赤（Ｒ）、緑Ｇ）、青（Ｂ）に分離して測光を行い、周辺光の色温度の測定し、Ｓ６０２に進む。Ｓ６０２ではストロボマイコン３１０撮影周辺光測光回路３２４の測光した撮影周辺光を分析した結果に基づき、赤（Ｒ）、緑Ｇ）、青（Ｂ）光量比率に従いＲ、Ｇ、Ｂ  ＬＥＤ３０７の電流設定を前述の第１の実施の形態と同様に行う。つまり、色温度取得ステップとして撮影周辺光測光回路３２４の測光した撮影周辺光を分析した結果を色温度に関する情報として取得し、Ｒ、Ｇ、Ｂ  ＬＥＤ３０７が発光する光の色温度を設定する。
【０１３０】
第１の実施の形態と同様、周辺光の赤（Ｒ）、緑Ｇ）、青（Ｂ）成分で受光光量が最も大きいものを基準１Ｖとして、バイアス回路３３のバイアス電圧Ｖ（Ｒ）、ＶＧ）、Ｖ（Ｂ）を各色の受光比率と同等に決定し差動増幅器２６，２９，３２の非反転入力に与える。こうして、色温度取得ステップにおいて撮影周辺光測光回路３２４から取得した色温度に関する情報に基づき、Ｒ、Ｇ、Ｂ  ＬＥＤ３０７への定電流の値を設定することで点灯時に撮影周辺光と略同一の色温度での照明が可能となる。
【０１３１】
次にＳ６０３で、ストロボマイコン３１０はＲ、Ｇ、Ｂ  ＬＥＤ３０７の発光輝度の変化から撮影距離に対する距離の補正値を求める。前述の第１の実施の形態と同様に基準の到達距離に対する距離の補正値（ｋ）は
距離の補正値（ｋ）＝  √（Ｙ）
として求められる。
【０１３２】
また、基準となる色温度６０００Ｋでは
Ｉ（ＲＥＤ）＝Ｉ（ＧＲＮ）＝Ｉ（ＢＬＵ）＝１
であり、よって、基準となる色温度６０００ＫではＹ＝１となる。
【０１３３】
このように６０００Ｋの基準の到達距離に対して撮影周辺光測光回路３２４のセンサー出力比に応じて求められる距離の補正値（ｋ）を掛けることで補正距離を導くことが出来る。
【０１３４】
ここで、例えば撮影周辺光測光回路３２４の出力比に基づいて求めたＲ、Ｇ、Ｂ  ＬＥＤ３０７のＲ、Ｇ、Ｂそれぞれの定電流の相対強度が
Ｉ（ＲＥＤ）＝１、Ｉ（ＧＲＮ）＝０．４２  Ｉ（ＢＬＵ）＝０．２８
とすれば距離の補正値（ｋ）は
距離の補正値（ｋ）＝  √（０．３×１＋０．５９×０．４２＋０．１１×０．２８）＝０．７６
このように、距離の補正値を求めると次にＳ６０４において、ストロボマイコン３１０は求めたＲ、Ｇ、Ｂ  ＬＥＤ３０７の発光比率および距離の補正値（ｋ）を図示しないＲＡＭ等の記憶装置に記憶する。そして、図１４のＳ３１２へ戻る。
【０１３５】
ここで、例えば、第１の実施の形態で図１３のＳ２０２で示す撮影情報取得ステップにより取得した撮影情報と図１４のＳ３１０で求められた補正量によって補正到達距離を求めると、
防振有り基準到達距離８ｍ    補正到達距離（１）＝２３ｍ
防振なし基準到達距離８ｍ    補正到達距離（２）＝１３ｍ
焦点距離基準情報なし８ｍ    補正到達距離（３）＝１１ｍ
また、Ｓ６０３で求められＳ６０４において記憶された距離の補正値（ｋ）を０．７６倍とすると補正量（１）〜（３）に対応した色温度加味の補正距離（ａ）〜（ｃ）はそれぞれ
防振有り補正距離２３ｍ×０．７６→色温度加味の補正距離（ａ）＝１７ｍ
防振なし補正距離１３ｍ×０．７６→色温度加味の補正距離（ｂ）＝１０ｍ
焦点距離情報なし補正距離１１ｍ×０．７６→色温度加味の補正距離（ｃ）＝８ｍ
と求められる。
【０１３６】
従って、図１４のＳ３１０で求められた補正量によって補正された到達距離に対して色温度の設定による距離の補正値（ｋ）を用いることで最終的な色温度を加味した到達距離が求められる。以上のように、基準到達距離に補正がされ、Ｓ３１３において到達距離が決定される。
【０１３７】
図１３のＳ２０４にもどり、求めた到達距離が表示がされる。一例として図１９に示すような到達距離範囲をバー表示（左図）または数値（右図）の表示を行う。そして、撮影周辺光測光回路３２４の出力比から最も近い出力比率に近い色温度を選択する。本実施例では、図１９の（ａ），（ｂ）表示のように、ストロボ光の色温度を図５に示す白熱電球のシンボルマークで表しており、色温度が白熱電球下の約３２００Ｋであることがわかる。なお、（ｃ）のように白熱電球のシンボルマークの代わりに周辺光を検出し設定するような撮影周辺光方式に合わせた個別のマークを使用することでも良い。
【０１３８】
以上説明したように第２の実施の形態では、手動で色温度を設定せず、撮影周辺光測光回路３２４で測光されたＲ，Ｇ，Ｂの光量比と同様な比率でＲ、Ｇ、Ｂ  ＬＥＤ３０７の電流比率を決定することで、撮影時の周辺光と略同一の色温度でストロボ発光出来る。したがって、近距離と遠距離とで自然な色の撮影が可能となる。
【０１３９】
また、第１の実施の形態では補正を段数にて行ったが第２の実施の形態では到達距離に色温度による距離の補正値（ｋ）を乗算することで補正の説明を行った。このように、色温度の設定によるガイドナンバーの変化という観点から、到達距離を導出することも可能であり、色温度の設定による到達距離そのものの変化という観点から到達距離を導出することも可能である。つまり、基準となる色温度での光量に関する情報を適宜、設定した色温度により補正することにより到達距離を導出することが可能となる。
【０１４０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。例えば、カメラ１００、レンズユニット２００、ストロボ装置３００で通信を行う構成に基づき説明を行ったが、ストロボ装置及びレンズを内蔵したデジタルカメラでも良い。この場合、カメラマイコンが本実施の形態で説明したレンズマイコン２０１およびストロボマイコン３１０が担う処理、演算、制御等を代わりに行えばよい。また、レンズユニット２００のみがカメラ本体１００と一体であってもよく、その場合にはレンズマイコン２０１を介して行っていたレンズユニット２００の制御をカメラマイコン１０１で行うようにすればよい。また、ストロボ装置３００のみがカメラ本体と一体であってもよく、その場合にはストロボマイコン３１０を介して行っていたストロボ装置３００の制御をカメラマイコン１０１で行うようにすればよい。
【０１４１】
また、本発明の実施の形態１および２では、ストロボ光の到達距離をストロボ装置３００で導出する構成としたが、ストロボ装置から受信したストロボ撮影に関連する情報を用いて、カメラ本体１００でストロボ到達距離を導出する構成としてもよい。つまり、ストロボ装置が発する光の色温度に関する情報を取得可能であるカメラ本体１００により、ストロボ光の到達距離の導出する構成としてもよい。この場合、カメラマイコン１０１は到達距離導出プログラムに基づき、到達距離導出を実行する。
【０１４２】
また、導出したストロボ到達距離を表示するのはストロボ装置３００の表示部に限らず、カメラ本体１００の表示部に出力し、表示させても構わない。
【０１４３】
また、ストロボ装置３００の光源はＬＥＤに限らず、色温度が可変に設定できる光源であればよい。例えば、３原色それぞれの光を発する光源であれば、本実施の形態と同様に３原色それぞれの光量比率を制御することによって色温度の設定が可能となる。さらに、キセノン管にカラーフィルタを被せて色温度を設定することもできる。この場合、プリ発光時にフォトダイオード３２３または撮影周辺光測光回路３２４によりカラーフィルタによる色温度の変化を把握し、色温度を考慮した到達距離の導出を行えばよい。なお、キセノン管ではＬＥＤとは異なり常時点灯ではないので、シャッタースピード等を考慮した到達距離の演算は必要はない。そのため、ストロボ装置の光源を判断して到達距離の演算に用いるファクターを変わるように制御すればよい。つまり、カメラマイコン１０１で到達距離を導出する場合、ストロボマイコン３１０は光源の種類や到達距離の演算に用いるファクターに関する情報をさらにカメラマイコン１０１に送信する。カメラマイコン１０１はその情報に基づき、到達距離の演算に用いるファクターを判断し、到達距離の導出を行うことが可能となる。
【０１４４】
また、光量比率をＲ、Ｇ、Ｂ  ＬＥＤ３０７を同時点灯で電流比で色温度を変更したが、光量なので同一電流で点灯時間を光量比率と同様な点灯時間比で設定しても良い。
【０１４５】
また、本発明の実施の形態１および２では、基準となる色温度でのガイドナンバーや到達距離を補正を行うことでストロボ光の到達距離を導出する構成としたがこれに限られるものではない。例えば、色温度の変化とガイドナンバーそのもの値を示すテーブルを保持し、そのテーブルを参照することで、ガイドナンバーを取得する構成としても良い。この場合、本実施の形態で説明した色温度の設定によるガイドナンバーの変化を本実施の形態で説明したように予め求めておく必要がある。このように、ストロボマイコン等の処理装置は、色温度の設定によるガイドナンバーの変化をテーブル参照することで取得し、取得したガイドナンバーと感度、絞り等の撮影情報から到達距離を導出することが可能となる。
【符号の説明】
【０１４６】
１００  カメラ本体
１０１  カメラマイコン
１０６  測光センサー
１１２  カメラ入力部
１１３  カメラ表示部
２００  レンズユニット
２０１  レンズマイコン
２０６  レンズ絞り
３００  ストロボ装置
３０１  電源電池
３０２  昇圧回路
３０８  定電流回路
３０７  Ｒ、Ｇ、Ｂ  ＬＥＤ
３１０  ストロボマイコン
３１５  反射傘
３２０  ストロボ入力部
３２１  ストロボ表示部
３２４  撮影周辺光測光回路
【図１】
2011232461.tif 000003
【図２】
2011232461.tif 000004
【図３】
2011232461.tif 000005
【図４】
2011232461.tif 000006
【図５】
2011232461.tif 000007
【図６】
2011232461.tif 000008
【図７】
2011232461.tif 000009
【図８】
2011232461.tif 000010
【図９】
2011232461.tif 000011
【図１０】
2011232461.tif 000012
【図１１】
2011232461.tif 000013
【図１２】
2011232461.tif 000014
【図１３】
2011232461.tif 000015
【図１４】
2011232461.tif 000016
【図１５】
2011232461.tif 000017
【図１６】
2011232461.tif 000018
【図１７】
2011232461.tif 000019
【図１８】
2011232461.tif 000020
【図１９】
2011232461.tif 000021